(57)【要約】【課題】多回路を構成する複数の被覆電線の素線間止水を１まとめにすることができる多回路の素線間止水構造を提供する。【解決手段】被覆材１０ａを切除した皮剥ぎ素線露出部１０ｂを中途に有し皮剥ぎ素線露出部１０ｂにおいて２つ折りにされた複数の被覆電線１０と、複数の被覆電線１０の皮剥ぎ素線露出部１０ｂ同士が短絡しないように複数の被覆電線１０を保持する非導電性の電線保持体２０と、複数の被覆電線１０の電線保持体２０に保持された部分および皮剥ぎ素線露出部１０ｂを収容する容器３０と、容器３０内に少なくとも複数の被覆電線１０の皮剥ぎ素線露出部１０ｂが浸漬するように充填され、かつ複数の被覆電線１０の皮剥ぎ素線露出部１０ｂから素線間に浸透した状態で硬化している熱硬化促進性止水剤４０と、を備えている。【選択図】図１
2015186379.tif 000002
【特許請求の範囲】
【請求項１】
被覆材を切除した皮剥ぎ素線露出部を中途に有し前記皮剥ぎ素線露出部において２つ折りにされた複数の被覆電線と、
複数の前記被覆電線の前記皮剥ぎ素線露出部同士が短絡しないように複数の前記被覆電線を保持する非導電性の電線保持体と、
前記電線保持体、複数の前記被覆電線の前記電線保持体に保持された部分および前記皮剥ぎ素線露出部を収容する容器と、
前記容器内に少なくとも複数の前記被覆電線の前記皮剥ぎ露出部が浸漬するように充填され、かつ複数の前記被覆電線の前記皮剥ぎ素線露出部から素線間に浸透した状態で硬化している熱硬化促進性止水剤と、を備えたことを特徴とする多回路の素線間止水構造。
【請求項２】
前記容器は、一端部が閉止している熱収縮チューブにより形成され、前記熱硬化促進性止水剤を充填した後、加熱により縮径された形状であることを特徴とする請求項１に記載の多回路の素線間止水構造。
【請求項３】
前記容器は、熱収縮チューブにより形成され、一端部内に止め栓が収容され、かつ一端部が加熱により縮径されて、前記止め栓で閉じられ、前記熱硬化促進性止水剤を充填した後、加熱により全長にわたり縮径された形状であることを特徴とする請求項１に記載の多回路の素線間止水構造。
【請求項４】
前記電線保持体は、筒状部と、前記筒状部の長手方向に所定の間隔をおき、かつ前記筒状部から径方向外側に向けて放射状に突出する複数のフック部とを、有して構成され、
複数の前記被覆電線は、前記皮剥ぎ素線露出部が前記電線保持体の前記筒状部にループ状に巻き掛けられるとともに、前記皮剥ぎ素線露出部同士が短絡しないように前記電線保持体の所定の前記フック部に支持されていることを特徴とする請求項１ないし請求項３のいずれか１項に記載の多回路の素線間止水構造。
【請求項５】
前記電線保持体は、平行に延びる複数の溝部と、複数の前記溝部の底面部から突出するフック部と、を有して構成され、
複数の前記被覆電線は、前記皮剥ぎ素線露出部同士が短絡しないように前記電線保持体の前記溝部に挿入されるとともに、前記皮剥ぎ素線露出部が前記電線保持体の前記フック部にループ状に巻き掛けられていることを特徴とする請求項１ないし請求項３のいずれか１項に記載の多回路の素線間止水構造。
【請求項６】
前記電線保持体は、平板部と、前記平板部の一側面部から突出する多数のフック部と、を有して剣山状に構成され、
複数の前記被覆電線は、前記皮剥ぎ素線露出部同士が短絡しないように前記電線保持体の前記フック部にループ状に巻き掛けられ、前記皮剥ぎ素線露出に隣接する部分が前記電線保持体の互いに隣接する所定の前記フック部により電線径方向に挟持されていることを特徴とする請求項１ないし請求項３のいずれか１項に記載の多回路の素線間止水構造。
【請求項７】
前記電線保持体は、一端部から他端部に向けて貫通する電線挿通部を有して構成され、
複数の前記被覆電線は、前記電線保持体の前記電線挿通部に挿通され、前記皮剥ぎ素線露出部同士が短絡しないように前記電線保持体の外部に突出していることを特徴とする請求項１ないし請求項３のいずれか１項に記載の多回路の素線間止水構造。
【発明の詳細な説明】
【技術分野】
【０００１】
本発明は、多回路の素線間止水構造に関する。
【背景技術】
【０００２】
従来、自動車に配索されるワイヤハーネスを構成する被覆電線の端末スプライス部の防水処理構造として、熱収縮チューブと、熱硬化促進性止水剤とを用いたものが知られている（例えば、特許文献１参照）。
【０００３】
図１０は特許文献１に記載された端末スプライス部の防水構造を示す。図１０において、端末スプライス部の防水構造は、複数の被覆電線１０１の端部から露出する素線露出部１０１ａを溶接して端末スプライス部１０１ｂを形成し、筒状の熱収縮チューブ１０２ａの下端部を止め栓１０２ｂにより閉止した容器１０２を形成し、容器１０２内に端末スプライス部１０１を収容するとともに、熱硬化促進性止水剤１０３を充填し、その後、容器１０２を全体的に加熱して熱収縮させるとともに、熱硬化促進性止水剤１０３を硬化させた構成を有している。
【先行技術文献】
【特許文献】
【０００４】
【特許文献１】特開２００６−８１３１９号公報
【発明の概要】
【発明が解決しようとする課題】
【０００５】
しかしながら、従来の端末スプライス部の防水構造は、端末スプライス部１０１ｂを共有して素線間止水を行うことができるものであり、多回路の素線間止水については考慮されていない。
【０００６】
本発明は、上述のような課題を解決するためになされたもので、多回路を構成する複数の被覆電線の素線間止水を１まとめにすることができる多回路の素線間止水構造を提供することを目的とする。
【課題を解決するための手段】
【０００７】
本発明に係る多回路の素線間止水構造は、上記目的を達成するため、被覆材を切除した皮剥ぎ素線露出部を中途に有し前記皮剥ぎ素線露出部において２つ折りにされた複数の被覆電線と、複数の前記被覆電線の前記皮剥ぎ素線露出部同士が短絡しないように複数の前記被覆電線を保持する非導電性の電線保持体と、前記電線保持体、複数の前記被覆電線の前記電線保持体に保持された部分および前記皮剥ぎ素線露出部を収容する容器と、前記容器内に少なくとも複数の前記被覆電線の前記皮剥ぎ露出部が浸漬するように充填され、かつ複数の前記被覆電線の前記皮剥ぎ素線露出部から素線間に浸透した状態で硬化している熱硬化促進性止水剤と、を備えた構成である。
【０００８】
この構成により、本発明に係る多回路の素線間止水構造は、容器内に充填した熱硬化促進性止水剤が、電線保持体に保持されている複数の被覆電線の皮剥ぎ素線露出部から被覆電線の素線間に、毛細管現象により浸透して硬化する。よって、本発明に係る多回路の素線間止水構造は、多回路を構成する複数の被覆電線の素線間止水を１まとめにすることができる。
【０００９】
上述した構成の多回路の素線間止水構造において、前記容器は、一端部が閉止している熱収縮チューブにより形成され、前記熱硬化促進性止水剤を充填した後、加熱により縮径された形状であることが好ましい。
【００１０】
この構成により、本発明に係る多回路の素線間止水構造は、容器が縮径された形状であるので、例えば、ワイヤハーネスに適用する場合に、容器の形状に応じてワイヤハーネスに形成される凸部を小さくすることができ、ワイヤハーネスの配索に際して凸部と他の部材とが干渉し難くなる。
【００１１】
また、上述した多回路の素線間止水構造において、前記容器は、熱収縮チューブにより形成され、一端部内に止め栓が収容され、かつ一端部が加熱により縮径されて、前記止め栓で閉じられ、前記熱硬化促進性止水剤を充填した後、加熱により全長にわたり縮径された形状であることが好ましい。
【００１２】
この構成により、本発明に係る多回路の素線間止水構造は、容器が全長にわたり縮径された形状であるので、例えば、ワイヤハーネスに適用する場合に、容器の形状に応じてワイヤハーネスに形成される凸部を小さくすることができ、ワイヤハーネスの配索に際して凸部と他の部材とが干渉し難くなる。
【００１３】
また、上述した多回路の素線間止水構造において、前記電線保持体は、筒状部と、前記筒状部の長手方向に所定の間隔をおき、かつ前記筒状部から径方向外側に向けて放射状に突出する複数のフック部とを、有して構成され、複数の前記被覆電線は、前記皮剥ぎ素線露出部が前記電線保持体の前記筒状部にループ状に巻き掛けられるとともに、前記皮剥ぎ素線露出部同士が短絡しないように前記電線保持体の所定の前記フック部に支持されていることが好ましい。
【００１４】
また、上述した多回路の素線間止水構造において、前記電線保持体は、平行に延びる複数の溝部と、複数の前記溝部の底面部から突出するフック部と、を有して構成され、複数の前記被覆電線は、前記皮剥ぎ素線露出部同士が短絡しないように前記電線保持体の前記溝部に挿入されるとともに、前記皮剥ぎ素線露出部が前記電線保持体の前記フック部にループ状に巻き掛けられていることが好ましい。
【００１５】
また、上述した多回路の素線間止水構造において、前記電線保持体は、平板部と、前記平板部の一側面部から突出する多数のフック部と、を有して剣山状に構成され、複数の前記被覆電線は、前記皮剥ぎ素線露出部同士が短絡しないように前記電線保持体の前記フック部にループ状に巻き掛けられ、前記皮剥ぎ素線露出に隣接する部分が前記電線保持体の互いに隣接する所定の前記フック部により電線径方向に挟持されていることが好ましい。
【００１６】
また、上述した多回路の素線間止水構造において、前記電線保持体は、一端部から他端部に向けて貫通する電線挿通部を有して構成され、複数の前記被覆電線は、前記電線保持体の前記電線挿通部に挿通され、前記皮剥ぎ素線露出部同士が短絡しないように前記電線保持体の外部に突出していることが好ましい。
【発明の効果】
【００１７】
本発明によれば、多回路を構成する複数の被覆電線の素線間止水を１まとめにすることができる多回路の素線間止水構造を提供することができる。
【図面の簡単な説明】
【００１８】
【図１】本発明の第１の実施の形態に係る多回路の素線間止水構造において、電線保持体および複数の被覆電線の皮剥ぎ素線露出部を含む電線延長方向中間部を収容した容器内に熱硬化促進性止水剤を充填して硬化させる工程を示す概略構成図である。
【図２】本発明の第１の実施の形態に係る多回路の素線間止水構造において、電線保持体に電線を組み付ける工程を示す概略構成図である。
【図３】本発明の第１の実施の形態に係る多回路の素線間止水構造において、電線保持体のフランジ部にカバーを組み付ける工程を示す斜視図である。
【図４】本発明の第２の実施の形態に係る多回路の素線間止水構造において、電線保持体および複数の被覆電線の皮剥ぎ素線露出部を含む電線延長方向中間部を収容した容器内に熱硬化促進性止水剤を充填して硬化させる工程を示す概略構成図である。
【図５】本発明の第２の実施の形態に係る多回路の素線間止水構造において、電線保持体のフランジ部にカバーを組み付ける工程を示す斜視図である。
【図６】本発明の第３の実施の形態に係る多回路の素線間止水構造において、電線保持体および複数の被覆電線の皮剥ぎ素線露出部を含む電線延長方向中間部を収容した容器内に熱硬化促進性止水剤を充填して硬化させる工程を示す概略構成図である。
【図７】本発明の第３の実施の形態に係る多回路の素線間止水構造において、電線保持体に電線を組み付ける工程を示す斜視構成図である。
【図８】本発明の第４の実施の形態に係る多回路の素線間止水構造において、電線保持体および複数の被覆電線の皮剥ぎ素線露出部を含む電線延長方向中間部を収容した容器内に熱硬化促進性止水剤を充填して硬化させる工程を示す概略構成図である。
【図９】本発明の第４の実施の形態に係る多回路の素線間止水構造において、電線保持体に電線を組み付ける工程を示す斜視図である。
【図１０】従来の端末スプライス部の防水構造を示す概略構成図である。
【発明を実施するための形態】
【００１９】
次に、本発明に係る多回路の素線間止水構造の実施の形態について図面を参照して説明する。
【００２０】
（第１の実施の形態）
図１に示すように、本実施の形態に係る多回路の素線間止水構造は、多回路を構成する複数の被覆電線１０と、各被覆電線１０を保持する電線保持体２０と、電線保持体２０および複数の被覆電線１０の所定部分を収容する有底構造の容器３０と、容器３０内に充填される熱硬化促進性止水剤４０と、を有して構成されている。
【００２１】
各被覆電線１０は、図２に示すように、被覆材１０ａを切除した皮剥ぎ素線露出部１０ｂを中途に有し、皮剥ぎ素線露出部１０ｂにおいて２つ折りにされている。
【００２２】
電線保持体２０は、図３に示すように、非導電性材料によって形成され、上下方向に延びる筒状部２０ａと、筒状部２０ａの下端部、上下方向中間部および下端部に設けたフランジ部２０ｂと、隣接するフランジ部２０ｂの間に位置するように筒状部２０ａから径方向外側に向けて放射状に突出する複数の細棒状のフック部２０ｃと、各フランジ部２０ｂの外縁部の半周を超える範囲に接して筒状部２０ａの所定範囲および所定のフック部２０ｃを覆うように各フランジ部２０ｂに係合する格子状のカバー２０ｄとを、有して構成されている。
【００２３】
各被覆電線１０は、皮剥ぎ素線露出部１０ｂが電線保持体２０の筒状部２０ａにループ状に巻き掛けられるとともに、皮剥ぎ素線露出部１０ｂ同士が短絡しないように所定のフック部２０ｃに支持されており、カバー２０ｄによって皮剥ぎ素線露出部１０ｂがフック部２０ｃから脱落しないように保護されている。
【００２４】
容器３０は、図１に示すように、上下に延びる熱収縮チューブ３０ａと、熱収縮チューブ３０ａの下端部に収容した止め栓３０ｂと、を有して構成されており、熱収縮チューブ３０ａの一端部が加熱により縮径されて止め栓３０ｂで閉じられている。この容器３０は、電線保持体２０、複数の被覆電線１０の電線保持体２０に保持された部分および皮剥ぎ素線露出部１０ｂを収容するようになっている。
【００２５】
熱硬化促進性止水剤４０としては、２液エポキシ止水剤が好ましい。２液エポキシ止水剤は、主剤と硬化剤とによって構成され、容器３０内に電線保持体２０、複数の被覆電線１０の電線保持体２０に保持された部分および皮剥ぎ素線露出部１０ｂが浸漬するように充填され、かつ複数の被覆電線１０の皮剥ぎ素線露出部１０ｂから素線間に毛細管現象により浸透した状態で硬化している。
【００２６】
多回路を構成する複数の被覆電線１０の素線間止水を行うときには、図２に示すように、各被覆電線１０の皮剥ぎ素線露出部１０ｂを、電線保持体２０の筒状部２０ａにループ状に巻き掛けるとともに、皮剥ぎ素線露出部１０ｂ同士が短絡しないように所定のフック部２０ｃに支持させる。
【００２７】
また、図３に示すように、各フランジ部２０ｂに格子状のカバー２０ｄを筒状部２０ａの所定範囲および所定のフック部２０ｃを覆うように係合させて、各被覆電線１０の皮剥ぎ素線露出部１０ｂがフック部２０ｃから脱落しないように保護する。
【００２８】
次いで、図１に示すように、電線保持体２０、複数の被覆電線１０の電線保持体２０に保持された部分および皮剥ぎ素線露出部１０ｂを容器３０に収容する。このとき、容器３０の外部において図示しない治具により被覆電線１０を支持し、容器３０の内底部に対して電線保持体２０の下端部が所定の間隔を保つようにする。
【００２９】
この後、容器３０内に未硬化状態の熱硬化促進性止水剤４０を、電線保持体２０、複数の被覆電線１０の電線保持体２０に保持された部分および皮剥ぎ素線露出部１０ｂが浸漬するように充填して、複数の被覆電線１０の皮剥ぎ素線露出部１０ｂから素線間に毛細管現象により浸透させる。
【００３０】
さらに、容器３０を全体的に所定温度に加熱して熱収縮により縮径させるとともに、容器３０内の熱硬化促進性止水剤４０および被覆電線１０の素線間に浸透した状態の熱硬化促進性止水剤４０を熱硬化させる。
【００３１】
本実施の形態に係る多回路の素線間止水構造は、容器３０内に充填した熱硬化促進性止水剤４０が、電線保持体２０に保持されている複数の被覆電線１０の皮剥ぎ素線露出部１０ｂから被覆電線１０の素線間に毛細管現象により浸透した状態で硬化する。このため、本実施の形態に係る多回路の素線間止水構造は、多回路を構成する複数の被覆電線１０の素線間止水を１まとめにすることができる。
【００３２】
また、本実施の形態に係る多回路の素線間止水構造は、容器３０を全体的に熱収縮により縮径させている。このため、本実施の形態に係る多回路の素線間止水構造は、例えば、ワイヤハーネスに適用する場合に、容器３０の形状に応じてワイヤハーネスに形成される凸部を小さくすることができ、ワイヤハーネスの配索に際して凸部と他の部材とが干渉し難くなる。
【００３３】
（第２の実施の形態）
図４に示すように、本実施の形態に係る多回路の素線間止水構造は、多回路を構成する複数の被覆電線１０と、各被覆電線１０を保持する電線保持体２１と、電線保持体２１および複数の被覆電線１０の所定部分を収容する有底構造の容器３０と、容器３０内に充填される熱硬化促進性止水剤４０と、を有して構成されている。被覆電線１０、容器３０は、図１に示すものと同様な構造であるので詳細については説明を省略する。
【００３４】
電線保持体２１は、図５に示すように、非導電性材料によって形成され、平行に延びる複数の溝部２１ａと、各溝部２１ａの底面部から溝部延長方向に対して直交する向きに突出する細棒状のフック部２１ｂと、各溝部２１ａの底面部から隆起する凸湾曲部２１ｃと、各凸湾曲部２１ｃに間隔をおいて対向する押え部２１ｄと、を有して構成されている。
【００３５】
各被覆電線１０は、皮剥ぎ素線露出部１０ｂ同士が短絡しないように電線保持体２１の溝部２１ａに挿入されるとともに、皮剥ぎ素線露出部１０ｂが電線保持体２１のフック部２１ｂにループ状に巻き掛けられている。また、各被覆電線１０の皮剥ぎ素線露出部１０ｂに隣接する個所は、電線保持体２１の凸湾曲部２１ｃと押え部２１ｄにより電線径方向に挟持されている。
【００３６】
多回路を構成する複数の被覆電線１０の素線間止水を行うときには、図５に示すように、各被覆電線１０を電線保持体２１の溝部２１ａに挿入するとともに、皮剥ぎ素線露出部１０ｂを電線保持体２１のフック部２１ｂにループ状に巻き掛ける。
【００３７】
次いで、図４に示すように、電線保持体２１、複数の被覆電線１０の電線保持体２１に保持された部分および皮剥ぎ素線露出部１０ｂを容器３０に収容する。このとき、容器３０の外部において図示しない治具により被覆電線１０を支持し、容器３０の内底部に対して電線保持体２１の下端部が所定の間隔を保つようにする。
【００３８】
この後、容器３０内に未硬化状態の熱硬化促進性止水剤４０を、電線保持体２１、複数の被覆電線１０の電線保持体２１に保持された部分および皮剥ぎ素線露出部１０ｂが浸漬するように充填して、複数の被覆電線１０の皮剥ぎ素線露出部１０ｂから素線間に毛細管現象により浸透させる。
【００３９】
さらに、容器３０を全体的に所定温度に加熱して熱収縮により縮径させるとともに、容器３０内の熱硬化促進性止水剤４０および被覆電線１０の素線間に浸透した状態の熱硬化促進性止水剤４０を熱硬化させる。
【００４０】
本実施の形態に係る多回路の素線間止水構造は、容器３０内に充填した熱硬化促進性止水剤４０が、電線保持体２１に保持されている複数の被覆電線１０の皮剥ぎ素線露出部１０ｂから被覆電線１０の素線間に毛細管現象により浸透した状態で硬化する。このため、本実施の形態に係る多回路の素線間止水構造は、多回路を構成する複数の被覆電線１０の素線間止水を１まとめにすることができる。
【００４１】
また、本実施の形態に係る多回路の素線間止水構造は、容器３０を全体的に熱収縮により縮径させている。このため、本実施の形態に係る多回路の素線間止水構造は、例えば、ワイヤハーネスに適用する場合に、容器３０の形状に応じてワイヤハーネスに形成される凸部を小さくすることができ、ワイヤハーネスの配索に際して凸部と他の部材とが干渉し難くなる。
【００４２】
（第３の実施の形態）
図６に示すように、本実施の形態に係る多回路の素線間止水構造は、多回路を構成する複数の被覆電線１０と、各被覆電線１０を保持する電線保持体２２と、電線保持体２２および複数の被覆電線１０の所定部分を収容する有底構造の容器３０と、容器３０内に充填される熱硬化促進性止水剤４０と、を有して構成されている。被覆電線１０、容器３０は、図１に示すものと同様な構造であるので詳細については説明を省略する。
【００４３】
電線保持体２２は、図７に示すように、非導電性材料によって形成され、平板部２２ａと、平板部２２ａの一側面部から突出する多数の細棒状のフック部２２ｂと、を有して剣山状に構成されている。
【００４４】
各被覆電線１０は、皮剥ぎ素線露出部１０ｂ同士が短絡しないように電線保持体２２のフック部２２ｂにループ状に巻き掛けられ、皮剥ぎ素線露出部１０ｂに隣接する部分が電線保持体２２の互いに隣接する所定のフック部２２ｂにより電線径方向に挟持されている。
【００４５】
多回路を構成する複数の被覆電線１０の素線間止水を行うときには、図７に示すように、各被覆電線１０の皮剥ぎ素線露出部１０ｂを皮剥ぎ素線露出部１０ｂ同士が短絡しないように電線保持体２２のフック部２２ｂにループ状に巻き掛けるとともに、皮剥ぎ素線露出部１０ｂに隣接する部分を互いに隣接する所定のフック部２２ｂに挟持させる。
【００４６】
次いで、図６に示すように、電線保持体２２、複数の被覆電線１０の電線保持体２２に保持された部分および皮剥ぎ素線露出部１０ｂを容器３０に収容する。このとき、容器３０の外部において図示しない治具により被覆電線１０を支持し、容器３０の内底部に対して電線保持体２２の下端部が所定の間隔を保つようにする。
【００４７】
この後、容器３０内に未硬化状態の熱硬化促進性止水剤４０を、電線保持体２２、複数の被覆電線１０の電線保持体２２に保持された部分および皮剥ぎ素線露出部１０ｂが浸漬するように充填して、複数の被覆電線１０の皮剥ぎ素線露出部１０ｂから素線間に毛細管現象により浸透させる。
【００４８】
さらに、容器３０を全体的に所定温度に加熱して熱収縮により縮径させるとともに、容器３０内の熱硬化促進性止水剤４０および被覆電線１０の素線間に浸透した状態の熱硬化促進性止水剤４０を熱硬化させる。
【００４９】
本実施の形態に係る多回路の素線間止水構造は、容器３０内に充填した熱硬化促進性止水剤４０が、電線保持体２２に保持されている複数の被覆電線１０の皮剥ぎ素線露出部１０ｂから被覆電線１０の素線間に毛細管現象により浸透した状態で硬化する。このため、本実施の形態に係る多回路の素線間止水構造は、多回路を構成する複数の被覆電線１０の素線間止水を１まとめにすることができる。
【００５０】
また、本実施の形態に係る多回路の素線間止水構造は、容器３０を全体的に熱収縮により縮径させている。このため、本実施の形態に係る多回路の素線間止水構造は、例えば、ワイヤハーネスに適用する場合に、容器３０の形状に応じてワイヤハーネスに形成される凸部を小さくすることができ、ワイヤハーネスの配索に際して凸部と他の部材とが干渉し難くなる。
【００５１】
（第４の実施の形態）
図８に示すように、本実施の形態に係る多回路の素線間止水構造は、多回路を構成する複数の被覆電線１０と、各被覆電線１０を保持する電線保持体２３と、電線保持体２３および複数の被覆電線１０の所定部分を収容する有底構造の容器３０と、容器３０内に充填される熱硬化促進性止水剤４０と、を有して構成されている。被覆電線１０、容器３０は、図１に示すものと同様な構造であるので詳細については説明を省略する。
【００５２】
電線保持体２３は、図９に示すように、非導電性材料によって形成され、一端部から他端部に向けて貫通する電線挿通部２３ａを有して構成されている。
【００５３】
各被覆電線１０は、電線保持体２３の電線挿通部２３ａに挿通され、皮剥ぎ素線露出部１０ｂ同士が短絡しないように電線保持体２３の外部に突出するとともに、被覆材１０ａにより被覆されている部分が、電線挿通部２３ａの内周部に対して締り嵌め状態となって固定されている。
【００５４】
多回路を構成する複数の被覆電線１０の素線間止水を行うときには、図９に示すように、各被覆電線１０を電線保持体２３の電線挿通部２３ａに挿通し、皮剥ぎ素線露出部１０ｂ同士が短絡しないように電線保持体２３の外部に突出させる。
【００５５】
次いで、図８に示すように、電線保持体２３、複数の被覆電線１０の電線保持体２３に保持された部分および皮剥ぎ素線露出部１０ｂを容器３０に収容する。このとき、容器３０の外部において図示しない治具により被覆電線１０を支持し、容器３０の内底部に対して電線保持体２３の下端部が所定の間隔を保つようにする。
【００５６】
この後、容器３０内に未硬化状態の熱硬化促進性止水剤４０を、電線保持体２３、複数の被覆電線１０の電線保持体２３に保持された部分および皮剥ぎ素線露出部１０ｂが浸漬するように充填して、複数の被覆電線１０の皮剥ぎ素線露出部１０ｂから素線間に毛細管現象により浸透させる。
【００５７】
さらに、容器３０を全体的に所定温度に加熱して熱収縮により縮径させるとともに、容器３０内の熱硬化促進性止水剤４０および被覆電線１０の素線間に浸透した状態の熱硬化促進性止水剤４０を熱硬化させる。
【００５８】
本実施の形態に係る多回路の素線間止水構造は、容器３０内に充填した熱硬化促進性止水剤４０が、電線保持体２３に保持されている複数の被覆電線１０の皮剥ぎ素線露出部１０ｂから被覆電線１０の素線間に毛細管現象により浸透した状態で硬化する。このため、本実施の形態に係る多回路の素線間止水構造は、多回路を構成する複数の被覆電線１０の素線間止水を１まとめにすることができる。
【００５９】
また、本実施の形態に係る多回路の素線間止水構造は、容器３０を全体的に熱収縮により縮径させている。このため、本実施の形態に係る多回路の素線間止水構造は、例えば、ワイヤハーネスに適用する場合に、容器３０の形状に応じてワイヤハーネスに形成される凸部を小さくすることができ、ワイヤハーネスの配索に際して凸部と他の部材とが干渉し難くなる。
【００６０】
本発明は、上記の実施の形態に限定されるものでなく、特許請求の範囲に記載された本発明の技術的範囲には、発明の要旨を逸脱しない範囲内で種々、設計変更した形態が含まれる。
【００６１】
以上説明したように、本発明に係る多回路の素線間止水構造は、多回路を構成する複数の被覆電線の素線間止水を１まとめにすることができるという効果を有し、多回路の素線間止水構造全般に有用である。
【符号の説明】
【００６２】
１０  被覆電線
１０ａ  被覆材
１０ｂ  素線露出部
２０，２１，２２，２３  電線保持体
３０  容器
３０ａ  熱収縮チューブ
３０ｂ  止め栓
４０  熱硬化促進性止水剤
【図１】
2015186379.tif 000003
【図２】
2015186379.tif 000004
【図３】
2015186379.tif 000005
【図４】
2015186379.tif 000006
【図５】
2015186379.tif 000007
【図６】
2015186379.tif 000008
【図７】
2015186379.tif 000009
【図８】
2015186379.tif 000010
【図９】
2015186379.tif 000011
【図１０】
2015186379.tif 000012